(57)【要約】    【課題】脚が長い使用者であっても、その脚を水平状態に上げてリラックスした姿勢で足裏のマッサージが行える高機能のマッサージ機を提供すること。    【解決手段】床面に載置した座部の前側に、脚施療部と足裏施療部とを備える足載部を、前後方向へ回動自在に連結したマッサージ機において、  前記脚施療部と足裏施療部とを枢支連結し、前記足載部の回動に応じて、前記脚施療部と足裏施療部とでなす連結角度を広がり方向へ変化させるとともに、前記足裏施療部の裏面と前記床面とのなす角度についても広がり方向へ変化させるようにした。【選択図】      図２
2006026446.tif 000002
【特許請求の範囲】
【請求項１】
床面に載置した座部の前側に、脚施療部と足裏施療部とを備える足載部を、前後方向へ回動自在に連結したマッサージ機において、
前記脚施療部と足裏施療部とを枢支連結し、前記足載部の回動に応じて、前記脚施療部と足裏施療部とでなす連結角度を広がり方向へ変化させるとともに、前記足裏施療部の裏面と前記床面とのなす角度についても広がり方向へ変化させるようにしたことを特徴とするマッサージ機。
【請求項２】
足載部の回動過程において、前記脚施療部の床面に対する角度の変化を、前記足裏施療部の床面に対する角度の変化よりも小さくしたことを特徴とする請求項１記載のマッサージ機。
【請求項３】
前記足裏施療部の裏面が床面に面した状態で、この足裏施療部と前記脚施療部との連結角度が略９０度となる初期状態から回動させたときに、回動中途までは連結角度を維持し、その後、連結角度が鈍角側に変化することを特徴とする請求項１又は２に記載のマッサージ機。
【発明の詳細な説明】
【技術分野】
【０００１】
本発明は、足載部を具備するマッサージ機に関するものである。
【背景技術】
【０００２】
従来、床面に載置した座部にリクライニング自在の背もたれ部を連設し、さらに、前記座部の前側に回動自在の足載部を設け、前記座部、背もたれ部に加え、さらに足載部にまでエアセルなどの施療体を配設して、上半身ばかりでなく、脚部にいたるまでの身体全体にわたりマッサージ可能とした椅子型のマッサージ機があった。なお、前記背もたれ部には、エアセルの他、機械式の揉み玉などを上下移動自在に設け、叩き、指圧、揉みなどのマッサージを可能としている。
【０００３】
その一例として、図５及び図６に示す構成のものがある。
【０００４】
図５に示すマッサージ機はきわめて一般的な構成のものであり、図示するように、足載部１００を、足の裏を載置する下部１１０とふくらはぎに対応する上部１２０とを略直角に連結するとともに、両者に配設したエアセル（図示せず）により足の裏からふくらはぎまでをマッサージ可能としている。図中、１３０は足載部１００を回動させるためのアクチュエータ、２００は座部、３００は背もたれ部、４００は同背もたれ部３００に設けた揉み玉である。
【０００５】
しかし、例えば上背のない小柄な者が図示したマッサージ機を使用して、足載部１００を回動させない状態、すなわち前記下部１００の裏面が床面に面した状態で足裏をマッサージしようとすると、脚が平均長よりも短い場合、通常の姿勢、すなわち背もたれ部３００にもたれかかった姿勢では、足裏が前記下部１１０に届かないことがあり、そのために使用者は座部の前側に腰掛けざるを得なくなり、結果的に足裏のマッサージを行う場合は前記揉み玉４００による背、肩及び腰のマッサージができなかった。そのために、小柄な使用者は足載部１００を前方へ回動させて（図５において実線で示す）使用せざるをえなかった。足載部１００の回動中心は、使用者の膝よりも下部後方に位置するので、足載部１００を回動させると足が下部１１０に届くからである。
【０００６】
一方、使用者が足を上げてゆったりとマッサージを受けるために、足載部１００を略水平になるまで回動させた場合、下部１１０が略垂直に立った状態となるので、このときには、使用者が例えば大柄で上背があったりして平均よりも脚が長い場合などは、足が下部１１０に突っかかり、膝を曲げなければならないなど窮屈な思いをすることがあった。
【０００７】
そこで、図６に示すように、足載部１００を回動させた場合、下部１１０は水平状態を維持しながら回動し、上部１２０が水平状態の位置では下部１１０を含め足載部１００全体が水平状態となり、脚の長い使用者でもゆっくりと足を伸ばせる構成のマッサージ機も知られている（例えば、特許文献１を参照。）。
【特許文献１】特開２００３−３８５９０号公報
【発明の開示】
【発明が解決しようとする課題】
【０００８】
ところが、上述の特許文献１に開示されたマッサージ機においても、未だ以下の課題が残されていた。
【０００９】
すなわち、かかるマッサージ機を前述した小柄の者が使用する場合、足載部１００を回動させると、下部１１０は床面に対して水平なので、足の裏が下部１１０のエアセルに十分当接せず、満足のいく足裏マッサージが行えない。
【００１０】
また、使用者が脚を水平にした姿勢でいる場合、足（足首より先）は略垂直に立っているので、そのときに足載部１００の下部１１０が水平状態となっている上記マッサージ機では、エアセルが足の裏に十分当接しないことから、この姿勢においては、体格に拘わらず使用者は足の裏のマッサージを円滑に行うことができなかった。
【００１１】
脚を水平状態に上げた姿勢というのは、使用者にとってリラックスした姿勢であり、なおかつ足裏をマッサージするエアセルが折角備えられているにもかかわらず、そのようなリラックスした姿勢で足裏のマッサージを行えないとなると、かかるマッサージ機に対して使用者が不満を抱くおそれがあった。
【００１２】
本発明は、上記課題を解決することのできるマッサージ機を提供することを目的としている。
【課題を解決するための手段】
【００１３】
請求項１記載の本発明では、床面に載置した座部の前側に、脚施療部と足裏施療部とを備える足載部を、前後方向へ回動自在に連結したマッサージ機において、前記脚施療部と足裏施療部とを枢支連結し、前記足載部の回動に応じて、前記脚施療部と足裏施療部とでなす連結角度を広がり方向へ変化させるとともに、前記足裏施療部の裏面と前記床面とのなす角度についても広がり方向へ変化させるようにした。
【００１４】
請求項２記載の本発明では、前記足載部の回動過程において、前記脚施療部の床面に対する角度の変化を、前記足裏施療部の床面に対する角度の変化よりも小さくした。
【００１５】
請求項３記載の本発明では、前記足裏施療部の裏面が床面に面した状態で、この足裏施療部と前記脚施療部との連結角度が略９０度となる初期状態から回動させたときに、回動中途までは連結角度を維持し、その後、連結角度が鈍角側に変化することとした。
【発明の効果】
【００１６】
（１）請求項１記載の本発明では、床面に載置した座部の前側に、脚施療部と足裏施療部とを備える足載部を、前後方向へ回動自在に連結したマッサージ機において、前記脚施療部と足裏施療部とを枢支連結し、前記足載部の回動に応じて、前記脚施療部と足裏施療部とでなす連結角度を広がり方向へ変化させるとともに、前記足裏施療部の裏面と前記床面とのなす角度についても広がり方向へ変化させるようにしたために、使用者が足裏施療部でマッサージ（施療）しながら足載部を回動させた場合、使用者の脚が平均長よりも長い場合であっても窮屈な思いをさせることなく脚を伸延させることができる上に、使用者の足が略水平状態となる位置でも、足裏施療部は床面に対して水平にはならないので、その位置において足裏のマッサージが可能となる。また、脚が平均長よりも短い使用者が足載部を前方へ回動させて使用する場合でも、足載部の回動途中位置において使用すれば、足裏施療部の裏面と床面とのなす角度が広がっているために、足の裏を施療部に十分当接させて満足のいく足裏マッサージが可能となる。
【００１７】
（２）請求項２記載の本発明では、前記足載部の回動過程において、前記脚施療部の床面に対する角度の変化を、前記足裏施療部の床面に対する角度の変化よりも小さくしたために、例えば足裏の施療中に、脚の姿勢を大きく変移させて使用しても足裏施療部の角度変化は小さいため、足載部を回動して脚の姿勢を変動しながらでも足裏の施療を自然なまま継続することができる。
【００１８】
（３）請求項３記載の本発明では、前記足裏施療部の裏面が床面に面した状態で、この足裏施療部と前記脚施療部との連結角度が略９０度となる初期状態から回動させたときに、回動中途までは連結角度を維持し、その後、連結角度が鈍角側に変化することとしたために、例えば座部から脚を略９０度垂下させた姿勢で足裏を十分な力でマッサージしているときに、足載部を回動させた場合、途中までは足裏施療部と前記脚施療部との連結角度は略９０度を維持しているので、脚の短い使用者にとって使用しやすい状態となり、十分なマッサージ力を維持でき、さらにその後回動が継続した場合では、急激に連結角度が拡開するので脚の長い人が窮屈になることを防止できる。つまり、ある程度足載部が上がった位置で使用者がリラックスできる状態においては、足載部の少しの変化で様々な脚の長さにスピーディに対応できる。
【発明を実施するための最良の形態】
【００１９】
本発明は、床面に載置した座部の前側に、脚施療部と足裏施療部とを備える足載部を、前後方向へ回動自在に連結したマッサージ機において、前記脚施療部と足裏施療部とを枢支連結し、前記足載部の回動に応じて、前記脚施療部と足裏施療部とでなす連結角度を広がり方向へ変化させるとともに、前記足裏施療部の裏面と前記床面とのなす角度についても広がり方向へ変化させるようにしたものである。
【００２０】
ここで、前記脚施療部と足裏施療部とでなす連結角度を広がり方向へ変化させるとともに、前記足裏施療部の裏面と前記床面とのなす角度についても広がり方向へ変化させるというのは、一般に、前記足裏施療部と脚施療部との連結角度が略９０度であって、脚施療部が前記座部から垂下しており、足裏施療部が床面に略水平（略０度）となっている状態を初期状態とすると、足載部を回動させたときに、足裏施療部と床面とのなす角度は略０度から広がっていくが、このときに、足裏施療部と脚施療部との連結角度についても９０度から鈍角側に変化して広がっていく変化である。さらに、この広がり方向は必ずしもプラス方向のみの変化には限らず、マイナス方向へ一時的に広がってもよい。そのときは、足裏施療部と床面とのなす角度が、初期状態（足裏施療部が床面に略０度）から一時的にマイナス側に広がる場合もありうるのである。
【００２１】
また、ここで脚施療部と足裏施療部とでなす連結角度が広がり方向へ変化するタイミングとしては、足載部が初期状態から回動して上がっていく間（足裏施療部の裏面と前記床面とのなす角度が広がり方向へ変化している）の全般にわたって追従的に連続している必要はなく、足載部が回動終了する間のうち、すくなくとも連結角度が広がる期間があればよく、さらには連結角度が狭まる動きと組み合わされていてもよい。
【００２２】
したがって、本マッサージ機を使用して足の裏をマッサージする場合、使用者は脚を座部から垂下した状態でマッサージするばかりではなく、マッサージ中に足載部を移動、すなわち前方側に回動して位置変動させながらも足裏のマッサージを円滑に行うことができる。そして、たとえ使用者の脚が平均長よりも長い場合でも、窮屈な思いをさせることなく脚を伸延させることができる上に、使用者の足が略水平状態となる位置でも、足裏施療部は床面に対して水平にはならないので、その位置において足裏のマッサージが可能となる。したがって、使用者は脚の姿勢に拘わらず、自然な形で足の裏のマッサージが可能となる。
【００２３】
さらに、例えば脚が平均長よりも短い使用者が足載部を前方へ回動させて使用する場合であっても、足裏施療部の裏面と床面とのなす角度が広がっているために、足の裏を施療部に十分当接させて満足のいく足裏マッサージが可能となる。
【００２４】
足裏施療部や脚施療部には、エアセルやバイブレータなどを配設してマッサージ機能を付与するとよい。また、前記座部に、他のマッサージ機能を備えた背もたれ部が連設されている場合、肩、背及び腰のマッサージと足の裏のマッサージとを同時に満喫することが可能となる。
【００２５】
また、本実施形態では、前記足載部の回動過程において、前記脚施療部の床面に対する角度の変化を、前記足裏施療部の床面に対する角度の変化よりも小さくしている。
【００２６】
これは、例えば使用者が脚を座部から垂下させて、足裏を足裏施療部上に略直角に載置した状態で足裏をマッサージしているときに、足載部を前側上方へ回動させて脚が上がる方向へ大きく変移する場合を想定すると、脚施療部は脚に接している部位なので床面に対して略９０度程度の範囲で大きく変化するが、足裏施療部の床面に対する角度変化を、脚施療部の床面に対する角度変化よりも変化割合を小さくし、かつ脚がたとえ水平状態となっても足裏施療部そのものは９０度まで変化させない（床面に対して水平にならない）ようにすることができるので、足載部を回動して脚の姿勢を変動しながらでも、また脚を水平状態にしたままでも足裏のマッサージを自然なまま継続することができ、使用者の充足感を損なうことがなくなる。
【００２７】
また、前述したように、使用者が脚を座部から垂下させて、足裏を足裏施療部上に略直角に載置した状態で足裏をマッサージしている状態から足載部を回動させたとき、すなわち、前記足裏施療部の裏面が床面に面した状態で、この足裏施療部と前記脚施療部との連結角度が略９０度となる初期状態から回動させたときに、回動中途までは連結角度である略９０度を維持し、その後、連結角度が鈍角側に変化するように構成することができる。
【００２８】
かかる構成とすれば、足載部の回動中途までは足裏施療部と前記脚施療部との連結角度は略９０度を維持しているので、足裏と足裏施療部との当接力は強く、十分なマッサージ力を維持できる。したがって、例えば足載部が略４５度程度回動し、使用者が膝を僅かに屈曲させて脚を伸延させている姿勢であれば、小柄な使用者であっても（脚が短い使用者であっても）十分なマッサージ力で足裏の施療が行える。
【実施例】
【００２９】
（第１実施例）
以下、本発明の第１実施例を、図面を参照しながら説明する。図１は第１実施例に係るマッサージ機Ａの側面視による説明図、図２は同マッサージ機Ａの要部拡大説明図である。
【００３０】
図１に示すように、マッサージ機Ａは、床面Ｌに載置可能とした座部２の前端部に足載部１を前後方向へ回動自在に連結するとともに、座部２の後端部には背もたれ部３をリクライニング自在に連結している。４は前記座部２の下部に設けた基台部である。
【００３１】
前記足載部１は、使用者の足裏を載置可能とした足裏施療部１０と、この足裏施療部１０の基端部と枢支連結され、使用者のふくらはぎ部分を包むように当接可能とした脚施療部１１とを具備しており、前記足裏施療部１０の上面、脚施療部１１の内面、さらに、前記座部２の上面、背もたれ部３の前面にエアセルＣを適宜配設して、エアマッサージを可能としている。さらに、前記背もたれ部３には、揉み玉による機械式のマッサージを行うマッサージユニット３５を、昇降用レール３０を介して上下昇降自在に配設している。
【００３２】
また、前記座部２の左右両側には肘掛部２０を取付けており、左右それぞれの肘掛部２０上には、断面視略Ｕ字状とし、内面にエアセルＣを配設した腕施療部２１を取付けている。
【００３３】
また、前記背もたれ部３の中央左右側には、内面にエアセルＣを配設して使用者の肩部を施療する肩施療部３１を取付けている。
【００３４】
このように、本実施例に係るマッサージ機Ａでは、前記足載部１、座部２、背もたれ部３、及び腕施療部２１に、エアセルＣを設けており、図示しないポンプからのエアの給排によってエアマッサージを行えるようにし、さらに前記背もたれ部３に設けた機械式のマッサージユニット３５により、全身を多彩にマッサージ可能としている。
【００３５】
なお、本マッサージ機Ａにおけるマッサージ駆動全体の制御は、前記肘掛部２０のうち、一側の上面前側に設けた操作パネルＰを介して行うようにしており、この操作パネルＰからの入力操作により、前記エアセルＣ及びマッサージユニット３５を作動させて、多様なマッサージを行うようにしている。また、この操作パネルＰに操作により、前記背もたれ部３のリクライニング量、前記足載部１の回動量も制御可能としている。なお、この操作パネルＰを着脱自在としてリモートコントローラとして用いることもできる。
【００３６】
また、本実施例に係るマッサージ機Ａは、前記基台部４内の中央左右側からそれぞれメインフレーム５を立設しており、このメインフレーム５に前記背もたれ部３の枠フレーム３２の基端部を枢支連結している。３３は背もたれ部３の基端枢支部である。
【００３７】
また、前記メインフレーム５の上端から前記座部２の裏面に沿って足載部支持用フレーム６を伸延させるとともに、同足載部支持用フレーム６の前端部に、足載部１の第１フレーム７１の基端部を、足載部１用の第１枢支部６１を介して枢支連結している。さらに、この第１フレーム７１の中途に、基端を前記メインフレーム５に枢支連結したエアシリンダなどからなるアクチュエータ４１の先端をステー６１ａを介して枢支連結し、前記アクチュエータ４１のロッド４１ａの進退により、前記足載部１を、前記第１枢支部６１を中心に前後回動自在としている。４１ｂは前記アクチュエータ４１と前記第１フレーム７１との枢支連結部、４１ｃは同アクチュエータ４１と前記メインフレーム５との枢支連結部である。
【００３８】
上記構成において、本実施例に係るマッサージ機Ａの特徴となるのは、互いに枢支連結した前記足載部１の脚施療部１１と足裏施療部１０とを、前記足載部１の回動に応じて、前記脚施療部１１と足裏施療部１０とでなす連結角度αを広がり方向へ変化させるとともに、前記足裏施療部１０の裏面と前記床面Ｌとのなす角度βについても広がり方向へ変化させるようにしたことにある。なお、前記足載部１の回動範囲は０度から上限を７０度〜１００度程度まで設定可能である。
【００３９】
すなわち、足載置部１の骨格をなすフレーム構成を、前述したように、第１枢支部６１を介して前記足載部支持用フレーム６に連結した第１フレーム７１の先端に、足裏施療部１０を形作る下部フレーム１２の基端を枢支連結するとともに、この下部フレーム１２の中途に第２フレーム７２の一端を枢支連結し、この第２フレーム７２の他端を、第２フレーム７２と前記第１フレーム７１とが平行となるように上部フレーム１３の先端に枢支連結して構成している。この上部フレーム１３は、脚施療部１１の上側部の骨格を形成するもので、前記下部フレーム１２と平行をなす状態で前記第１フレーム７１と枢支連結している。６２は前記第１フレーム７１と下部フレーム１２とを枢着する第２枢支部、６３は前記下部フレーム１２と前記第２フレーム７２とを枢着する第３枢支部、６４は前記第２フレーム７２と上部フレーム１３とを枢着する第４枢支部、６５は前記上部フレーム１３と前記第１フレーム７１とを枢着する第５枢支部である。
【００４０】
つまり、足載部１は、第１フレーム７１、第２フレーム７２、下部フレーム１２、上部フレーム１３で二組の平行リンク機構を構成している。かかる構成において、前述したように、前記第１フレーム７１の基端を前記足載部支持用フレーム６の前端部に枢支連結する一方、前記上部フレーム１３の基端１３ａを、前記足載部支持用フレーム６に連設した垂板６６に設けた略Ｖ字状のガイド溝６７に沿って移動可能に取付けている。
【００４１】
このガイド溝６７は、前記第１フレーム７１の基端を連結した前記第１枢支部６１を中心とした円弧状に形成された第１ガイド溝６７ａと、この第１ガイド溝６７ａから連続して急峻に立ち上がった第２ガイド溝６７ｂとからなる。本実施例では、第２ガイド溝６７ｂについてもわずかに湾曲させている。なお、この第２ガイド溝６７ｂの終端位置は、前記アクチュエータ４１のロッド４１ａが最長となる位置に合わせるとともに、足載部１が回動して使用者の脚が略水平状態となる位置となるように設計されている。そして、この位置にあって、下部フレーム１２が互いに所定間隔をあけて平行に配設された前記第１フレーム７１及び第２フレーム７２に連結されているため、足裏施療部１０は床面Ｌに対して平行になることはなく、この足裏施療部１０と脚施療部１１との連結角度αは１８０度には満たない所定の鈍角状態となっている。
【００４２】
上記構成とすることにより、前記第１フレーム７１が床面Ｌに対して略垂直であって、前記下部フレーム１２が床面Ｌに略水平とした初期状態（回動していない状態）、すなわち、足裏施療部１０と脚施療部１１との連結角度αが略９０度の状態から、アクチュエータ４１を駆動して第１フレーム１２を前方へ押すと、上部フレーム１３の基端１３ａが前記第１枢支部６１から同距離にある前記第１ガイド溝６７ａ内を移動する限り（足載部１が４５度程度までの回動範囲）は、上部フレーム１３の基端１３ａと前記第１枢支部６１との距離が変わることがないので、足載部１全体はこの第１枢支部６１を中心として回動し、前記連結角度αは略９０度を維持したままとなる。したがって、足裏施療部１０と床面Ｌとのなす角度βについては初期状態が略０度（略水平状態）であるから、漸次広がり方向へと変わる。本実施例では、角度βを１０〜３０度に設定している。
【００４３】
他方、上部フレーム１３の基端１３ａが第１ガイド溝部６７ａから第２ガイド溝６７ｂへ移り、この第２ガイド溝６７ｂを移動する際には、上部フレーム１３の基端１３ａと前記第１枢支部６１との距離が漸次短くなり、足載部１を構成するリンク機構が変形して、足載部１の回動に伴って、前記第１フレーム７１と下部フレーム１２との連結角度すなわち前記足裏施療部１０と脚施療部１１との連結角度αが漸次広がり方向、すなわち鈍角側に急に変わっていく。そして、前記基端１３ａが第２ガイド溝６７ｂに当接すると前記アクチュエータ４１の動作が停止し、足載部１は前記座部２と略同高さで保持される。このとき、前記第２ガイド溝６７ｂについても所定の曲率で湾曲させているために、前記下部フレーム１２と前記床面Ｌとのなす角度、すなわち足裏施療部１０の裏面と床面Ｌとのなす角度βもわずかながら広がり方向へ変わっていく。
【００４４】
したがって、使用者は、足載部１が初期状態にあるときの姿勢で足裏を十分な力でマッサージしている際に、足載部１を回動させた場合、回動途中までは足裏施療部１０と前記脚施療部１１との連結角度は略９０度を維持しているので、足の裏は足裏施療部１０に略垂直に当接しており、エアセルＣによる十分なマッサージ力をそのまま維持できる。そして、その後回動を継続させると、足裏施療部１０と脚施療部１１との連結角度αは広がっていくものの、前述したように１８０度となることはないので足裏施療部１０は足の裏を所定の傾斜面で受け止めており、脚が略水平状態となってもエアセルＣにより足裏のマッサージを行うことができる。
【００４５】
また、本実施例に係るマッサージ機Ａであれば、例えば足載部１が初期状態の位置にあると、通常姿勢では足の裏が足裏施療部１０に届かないような上背のない小柄な者が足載部１を前方へ略４５度程度回動させることによって（図１及び図２において実線で示す）足を足施療部１０に届くようにして使用する場合、連結角度αは略９０度を維持しているために、足の裏は足裏施療部１０のエアセルＣに十分当接できるので、満足のいく足裏マッサージが可能となる。そして、このときに、前記背もたれ部３に設けたエアセルＣやマッサージユニット３５を用いて、肩、背及び腰のマッサージも同時に満喫することが可能となる。
【００４６】
また、脚が略水平状態となっているとき、足裏施療部１０と脚施療部１１との連結角度αが広がったために、図２で示すように、下フレーム１２の先端は座部２よりも前方へと変移しており、脚が平均長よりも長い上背のある使用者であっても窮屈な思いをさせることがなく、ゆったりとした状態で脚を伸ばしながら脚部だけでなく、足裏のマッサージまでも十分行える。
【００４７】
ここで重要なのは、足載部１が前方へ略４５度程度回動させた状態から上方への回動領域では、脚の長さに応じた最適な足裏マッサージが実現できる点である。すなわち、脚の短い人の場合は、略４５度程度回動させた状態で使用し、それより脚の長い人の場合は、自分の好みに応じて回動量を設定すれば連結角度の急激な変化により、足載部１の回動角度をそれほど大きく変化させることなく（使用者の使用感に差異を感じさせることなく）最適な位置を選択できる。つまり、脚の長短を足載部１の少しの回動変化で吸収できるので、脚を上げたリラックスした状態で足裏施療が可能となる。
【００４８】
（第２実施例）
次に、第２実施例に係るマッサージ機Ｂについて、図３及び図４を参照しながら説明する。図３は第２実施例に係るマッサージ機Ｂの側面視による説明図、図４は同マッサージ機Ｂの要部拡大説明図である。なお、ここでは第１実施例と同一構成要素については同一符号で示し、その説明については省略する。
【００４９】
図３に示すように、第２実施例に係るマッサージ機Ｂの構成は、第１実施例とは足載部１のフレーム構成及びその座部２への連結構造のみが異なる。
【００５０】
すなわち、図４に示すように、本実施例における足載置部１の骨格をなすフレーム構成は以下に説明するようになっている。
【００５１】
足裏施療部１０を形作る下部フレーム１２の基端を第１フレーム７１の先端と枢支連結し、この第１フレーム７１の中途にアクチュエータ４１のロッド４１ａの先端を枢着した点は第１実施例と同様であるが、前記第１フレーム７１の基端は、足載部支持用フレーム６の前側部に垂設した略矩形形状のブラケット６８に枢支連結している。
【００５２】
また、前記下部フレーム１２の左右側中途部に、斜め後上方へ立ち上げた立上部１４を形成し、この立上部１４の先端に第２フレーム７２の一端を枢支連結するとともに、この第２フレーム７２の他端を、前記足載部支持用フレーム６の先端部に枢支連結している。
【００５３】
図中、６１’は前記第１フレーム７１と前記ブラケット６８とを枢着する第１枢支部、６２’は前記第１フレーム７１と前記下部フレーム１２の基端とを枢着する第２枢支部、６３’は前記下部フレーム１２の立上部１４と前記第２フレーム７２とを枢着する第３枢支部、６４’は前記第２フレーム７２と前記足載部支持用フレーム６とを枢着する第４枢支部である。
【００５４】
ここで、前記第１枢支部６１’と第４枢支部６４’とは、前後方向でわずかに位置がずれているとともに、高さも異ならせている。そして、前記第２枢支部６２’と第３枢支部６３’とについても前後方向で位置をずらし、高さも異ならせている。そして、そのずれ量は、前記第１枢支部６１’と第４枢支部６４’とのずれよりも大きくしている。したがって、前記第１枢支部６１’と第４枢支部６４’との間隔長Ｄ１と、前記第２枢支部６２’と第３枢支部６３’との間隔長Ｄ２とが異なり（第１枢支部６１’と第４枢支部６４’との間隔長Ｄ１が第２枢支部６２’と第３枢支部６３’との間隔長Ｄ２よりも短い）、第１フレーム７１及び第２フレーム７２とでは非平行なリンク構造が形成されている。
【００５５】
かかる構成により、前記第１フレーム７１が床面Ｌに対して略垂直であって、前記下部フレーム１２が床面Ｌに略水平とした初期状態、すなわち、足裏施療部１０と脚施療部１１との連結角度αが略９０度の状態から、アクチュエータ４１を駆動して第１フレーム７１を前方へ押すと、第１フレーム７１と第２フレーム７２の座部２側との枢支部（第１枢支部６１’と第４枢支部６４’）がオフセットしているため、非平行リンクが変形し、足載部１の回動に伴って、前記第１フレーム７１と下部フレーム１２との連結角度すなわち前記足裏施療部１０と脚施療部１１との連結角度αが漸次広がり方向、すなわち鈍角側に変わっていく。
【００５６】
そして、前記下部フレーム１２と前記床面Ｌとのなす角度、すなわち足裏施療部１０の裏面と床面Ｌとのなす角度βもわずかながら広がり方向へ変わっていく。
【００５７】
しかも、この足載部１の回動過程において、前記足裏施療部１０と床面Ｌとがなす角度βの変化を、脚施療部１１と床面Ｌとがなす角度γの変化よりも変化割合を小さくしているため、例えば使用者が脚を垂直にした状態から水平状態となるまで足載部１が前側上方へ約９０度回動した場合、脚施療部１１の床面Ｌに対する角度γは、前記床面Ｌに対して略９０度の範囲で大きく変化し、この脚施療部１１は脚に接している部位なので、脚もやはり略９０度の範囲で大きく変化する、しかし、足裏施療部１０の床面Ｌに対する角度変化は、脚施療部１１よりも変化割合が小さいので、足載部１を回動して脚の姿勢を垂直状態から水平状態へ変動しながらでも、またこの水平状態に脚を維持したままでも足裏のマッサージを自然なまま継続することができ、使用者の充足感を損なうことがない。
【００５８】
このように、本実施例においても、使用者は、足載部１が初期状態にあるときの姿勢で足裏を十分な力でマッサージしている際に、足載部１を回動させていっても足裏のマッサージを行うことができる。そして、足裏施療部１０と脚施療部１１との連結角度αが広がるので、脚を略水平状態に伸ばしたときに、使用者の脚が長い場合でも窮屈な思いをさせることがなく、ゆったりとした状態で脚を伸ばしながらふくらはぎだけではなく、足裏までも十分にマッサージすることが可能となる。しかも、同時に、背もたれ部３に設けたエアセルＣやマッサージユニット３５を用いて肩、背及び腰のマッサージも満喫することができる。
【００５９】
また、足載部１が上がった状態での足裏施療を想定している脚の短い人にとっても、足裏が足裏施療部１１に届きやすくなり、好都合である。つまり、本実施例によれば、足載部１を上げた状態では、脚の長い人における窮屈感を連結角度αの広がりで解消し、脚の短い人の足裏施療部１１への届き難さを、足載部１を少し上げた状態で足裏施療部１１の裏面と床面Ｌとの広がりで解消している。特に、これらの広がりの調整はアクチュエータ４１の駆動のみで簡単に理想的に行えるので、それぞれの使用者の体格にあった全身マッサージ可能な位置を設定できる。
【００６０】
以上、本発明を実施形態（第１、第２実施例）を通して説明してきたが、本発明に係るマッサージ機は、使用者の体格に拘わらず、良好に足の裏のマッサージを十分行うことができる。
【図面の簡単な説明】
【００６１】
【図１】第１実施例に係るマッサージ機の説明図である。
【図２】同要部を拡大図である。
【図３】第２実施例に係るマッサージ機の説明図である。
【図４】同要部拡大図である。
【図５】従来のマッサージ機を示す説明図である。
【図６】従来のマッサージ機を示す説明図である。
【符号の説明】
【００６２】
Ａ，Ｂ  マッサージ機
Ｌ  床面
α  連結角度
β  足裏施療部の裏面と床面とがなす角度
γ  脚施療部と床面とがなす角度
１  足載部
２  座部
３  背もたれ部
１０  足裏施療部
１１  脚施療部
１２  下部フレーム
１３  上部フレーム
７１  第１フレーム
７２  第２フレーム
【図１】
2006026446.tif 000003
【図２】
2006026446.tif 000004
【図３】
2006026446.tif 000005
【図４】
2006026446.tif 000006
【図５】
2006026446.tif 000007
【図６】
2006026446.tif 000008
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
床面に載置した座部の前側に、脚施療部と足裏施療部とを備える足載部を、前後方向へ回動自在に連結したマッサージ機において、
前記脚施療部と足裏施療部とを枢支連結し、前記足載部の回動に応じて、前記脚施療部と足裏施療部とでなす連結角度を広がり方向へ変化させるとともに、前記足裏施療部と前記床面とのなす角度についても広がり方向へ変化させるようにしたことを特徴とするマッサージ機。
【請求項２】
足載部の回動過程において、前記足裏施療部の床面に対する角度の変化を、前記脚施療部の床面に対する角度の変化よりも小さくしたことを特徴とする請求項１記載のマッサージ機。
【請求項３】
前記足裏施療部の裏面が床面に面した状態で、この足裏施療部と前記脚施療部との連結角度が略９０度となる初期状態から回動させたときに、回動中途までは連結角度を維持し、その後、連結角度が鈍角側に変化することを特徴とする請求項１又は２に記載のマッサージ機。
【手続補正２】
【補正対象書類名】明細書
【補正対象項目名】００１３
【補正方法】変更
【補正の内容】
【００１３】
請求項１記載の本発明では、床面に載置した座部の前側に、脚施療部と足裏施療部とを備える足載部を、前後方向へ回動自在に連結したマッサージ機において、前記脚施療部と足裏施療部とを枢支連結し、前記足載部の回動に応じて、前記脚施療部と足裏施療部とでなす連結角度を広がり方向へ変化させるとともに、前記足裏施療部と前記床面とのなす角度についても広がり方向へ変化させるようにした。
【手続補正３】
【補正対象書類名】明細書
【補正対象項目名】００１４
【補正方法】変更
【補正の内容】
【００１４】
請求項２記載の本発明では、前記足載部の回動過程において、前記足裏施療部の床面に対する角度の変化を、前記脚施療部の床面に対する角度の変化よりも小さくした。
【手続補正４】
【補正対象書類名】明細書
【補正対象項目名】００１６
【補正方法】変更
【補正の内容】
【００１６】
（１）請求項１記載の本発明では、床面に載置した座部の前側に、脚施療部と足裏施療部とを備える足載部を、前後方向へ回動自在に連結したマッサージ機において、前記脚施療部と足裏施療部とを枢支連結し、前記足載部の回動に応じて、前記脚施療部と足裏施療部とでなす連結角度を広がり方向へ変化させるとともに、前記足裏施療部と前記床面とのなす角度についても広がり方向へ変化させるようにしたために、使用者が足裏施療部でマッサージ（施療）しながら足載部を回動させた場合、使用者の脚が平均長よりも長い場合であっても窮屈な思いをさせることなく脚を伸延させることができる上に、使用者の足が略水平状態となる位置でも、足裏施療部は床面に対して水平にはならないので、その位置において足裏のマッサージが可能となる。また、脚が平均長よりも短い使用者が足載部を前方へ回動させて使用する場合でも、足載部の回動途中位置において使用すれば、足裏施療部の裏面と床面とのなす角度が広がっているために、足の裏を施療部に十分当接させて満足のいく足裏マッサージが可能となる。
【手続補正５】
【補正対象書類名】明細書
【補正対象項目名】００１７
【補正方法】変更
【補正の内容】
【００１７】
（２）請求項２記載の本発明では、前記足載部の回動過程において、前記足裏施療部の床面に対する角度の変化を、前記脚施療部の床面に対する角度の変化よりも小さくしたために、例えば足裏の施療中に、脚の姿勢を大きく変移させて使用しても足裏施療部の角度変化は小さいため、足載部を回動して脚の姿勢を変動しながらでも足裏の施療を自然なまま継続することができる。
【手続補正６】
【補正対象書類名】明細書
【補正対象項目名】００１９
【補正方法】変更
【補正の内容】
【００１９】
本発明は、床面に載置した座部の前側に、脚施療部と足裏施療部とを備える足載部を、前後方向へ回動自在に連結したマッサージ機において、前記脚施療部と足裏施療部とを枢支連結し、前記足載部の回動に応じて、前記脚施療部と足裏施療部とでなす連結角度を広がり方向へ変化させるとともに、前記足裏施療部と前記床面とのなす角度についても広がり方向へ変化させるようにしたものである。
【手続補正７】
【補正対象書類名】明細書
【補正対象項目名】００２０
【補正方法】変更
【補正の内容】
【００２０】
ここで、前記脚施療部と足裏施療部とでなす連結角度を広がり方向へ変化させるとともに、前記足裏施療部と前記床面とのなす角度についても広がり方向へ変化させるというのは、一般に、前記足裏施療部と脚施療部との連結角度が略９０度であって、脚施療部が前記座部から垂下しており、足裏施療部が床面に略水平（略０度）となっている状態を初期状態とすると、足載部を回動させたときに、足裏施療部と床面とのなす角度は略０度から広がっていくが、このときに、足裏施療部と脚施療部との連結角度についても９０度から鈍角側に変化して広がっていく変化である。さらに、この広がり方向は必ずしもプラス方向のみの変化には限らず、マイナス方向へ一時的に広がってもよい。そのときは、足裏施療部と床面とのなす角度が、初期状態（足裏施療部が床面に略０度）から一時的にマイナス側に広がる場合もありうるのである。
【手続補正８】
【補正対象書類名】明細書
【補正対象項目名】００２１
【補正方法】変更
【補正の内容】
【００２１】
また、ここで脚施療部と足裏施療部とでなす連結角度が広がり方向へ変化するタイミングとしては、足載部が初期状態から回動して上がっていく間（足裏施療部と前記床面とのなす角度が広がり方向へ変化している）の全般にわたって追従的に連続している必要はなく、足載部が回動終了する間のうち、すくなくとも連結角度が広がる期間があればよく、さらには連結角度が狭まる動きと組み合わされていてもよい。
【手続補正９】
【補正対象書類名】明細書
【補正対象項目名】００２３
【補正方法】変更
【補正の内容】
【００２３】
さらに、例えば脚が平均長よりも短い使用者が足載部を前方へ回動させて使用する場合であっても、足裏施療部と床面とのなす角度が広がっているために、足の裏を施療部に十分当接させて満足のいく足裏マッサージが可能となる。
【手続補正１０】
【補正対象書類名】明細書
【補正対象項目名】００２５
【補正方法】変更
【補正の内容】
【００２５】
また、本実施形態では、前記足載部の回動過程において、前記足裏施療部の床面に対する角度の変化を、前記脚施療部の床面に対する角度の変化よりも小さくしている。
【手続補正１１】
【補正対象書類名】明細書
【補正対象項目名】００２６
【補正方法】変更
【補正の内容】
【００２６】
これは、例えば使用者が脚を座部から垂下させて、足を足裏施療部上に略直角に載置した状態で足裏をマッサージしているときに、足載部を前側上方へ回動させて脚が上がる方向へ大きく変移する場合を想定すると、脚施療部は脚に接している部位なので床面に対して略９０度程度の範囲で大きく変化するが、足裏施療部の床面に対する角度変化を、脚施療部の床面に対する角度変化よりも変化割合を小さくし、かつ脚がたとえ水平状態となっても足裏施療部そのものは床面に対して水平にならないようにすることができるので、足載部を回動して脚の姿勢を変動しながらでも、また脚を水平状態にしたままでも足裏のマッサージを自然なまま継続することができ、使用者の充足感を損なうことがなくなる。
【手続補正１２】
【補正対象書類名】明細書
【補正対象項目名】００２７
【補正方法】変更
【補正の内容】
【００２７】
また、前述したように、使用者が脚を座部から垂下させて、足を足裏施療部上に略直角に載置した状態で足裏をマッサージしている状態から足載部を回動させたとき、すなわち、前記足裏施療部の裏面が床面に面した状態で、この足裏施療部と前記脚施療部との連結角度が略９０度となる初期状態から回動させたときに、回動中途までは連結角度である略９０度を維持し、その後、連結角度が鈍角側に変化するように構成することができる。